(57)【要約】【課題】  ＩＴＯ配線による各配線抵抗によってインピーダンス抵抗が増加しても、タイミング発生回路によって発生する高周波成分による液晶駆動電源回路の出力電圧レベルの変動を抑制し、液晶表示パネルの表示品質の向上を図ることができる液晶表示装置をを提供する。【解決手段】  駆動電圧調整回路４には、オペアンプ２１の出力端子に一端側が電気的に接続される第１帰還抵抗Ｒｂと、この第１帰還抵抗Ｒｂの他端側に接続されて直列回路を構成する第２帰還抵抗Ｒａと、この第１帰還抵抗Ｒｂに並列に接続されるコンデンサＣ２とが配設されている。また、この第２帰還抵抗Ｒａの抵抗値は第１帰還抵抗Ｒｂよりも小さく設定されている。また、オペアンプ２１の反転入力端子は、この第１帰還抵抗Ｒｂと第２帰還抵抗Ｒａとの接続点に接続されている。【選択図】  図２
2006189593.tif 000002
【特許請求の範囲】
【請求項１】
セグメント電極及びコモン電極を有する液晶表示パネルと、
前記液晶表示パネルに電気的に接続されると共に、外部電源に電気的に接続されて該液晶表示パネルを駆動する液晶駆動回路部と、
前記液晶駆動回路部に配設されるオペアンプに電気的に接続されて前記液晶表示パネルを駆動する駆動電圧を発生するための複数の抵抗が配設される駆動電圧調整回路部と、
を備え、
前記複数の抵抗は、前記オペアンプの出力端子と反転入力端子との間に電気的に接続される第１帰還抵抗と、
前記反転入力端子とグランドレベルとの間に電気的に接続されて前記第１帰還抵抗よりも抵抗値が小さい第２帰還抵抗と、を含む液晶表示装置において、
前記駆動電圧調整回路部は、前記第１帰還抵抗に並列に接続される第１コンデンサが配設されていることを特徴とする液晶表示装置。
【請求項２】
前記液晶駆動回路部は、前記オペアンプによって発生する駆動電圧を分圧して複数の液晶駆動用電圧を発生する分圧回路を有し、
前記液晶駆動回路部に電気的に接続されて前記分圧回路の各出力端子とグランドレベルとの間に接続される複数の第２コンデンサが配設される電圧安定回路部を備えたことを特徴とする請求項１に記載の液晶表示装置。
【発明の詳細な説明】
【技術分野】
【０００１】
本発明は、パッシブマトリックス型の液晶表示装置に関し、特に、パッシブマトリックス型の液晶表示装置の液晶駆動電源回路部に関するものである。
【背景技術】
【０００２】
従来より、パッシブマトリックス型の液晶表示装置の液晶駆動回路部について種々提案されている。
例えば、セグメント電極およびコモン電極を有する液晶表示パネルと、外部電源から入力される駆動電圧を分圧回路により分圧して、複数の液晶駆動用電圧を発生する内部電源回路と、少なくとも前記内部電源回路からの液晶駆動用電圧および外部コントローラからのクロック信号が入力されるセグメント電極駆動回路と、少なくとも前記内部電源回路からの液晶駆動用電圧および外部コントローラからのクロック信号が入力されるコモン電極駆動回路とを具備する液晶表示モジュールにおいて、前記液晶駆動用内部電源回路の外部電源の入力端子にリップルフィルタ回路を設けた構成の液晶駆動回路部がある（例えば、特許文献１参照。）。
【０００３】
そして、このような構成においては、液晶表示モジュールの液晶駆動用内部電源回路に、外部電源から入力される駆動電圧の変動を抑制するためのリップルフィルタ回路を設けるようにしたので、コモン電極およびセグメント電極に印加する電圧を、交流化信号により反転させる時に、外部電源の変動を穏やかにすることができ、これにより、液晶表示パネルの表示画面の品質が低下するのを防止することができる。
【特許文献１】特開平７−２５３５６５号公報（段落（００３０）〜（００８２）、図１〜図１０）
【発明の開示】
【発明が解決しようとする課題】
【０００４】
しかしながら、上述した従来の液晶駆動回路部においては、外部電源の入力端子にリップルフィルタ回路を設けるだけであるため、液晶駆動回路部等を液晶表示パネル上に配設した場合には、配線の抵抗成分等によって液晶駆動回路部の出力電圧レベルが変動するという問題がある。ここで、従来の液晶駆動回路部の出力電圧レベルの変動について図４乃至図６に基づいて具体的に説明する。
図４に示すように、従来の液晶表示装置１００は、パッシブマトリックス型の液晶表示パネル（ＬＣＤ）１０１と、この液晶表示パネル１０１上に配設される液晶駆動回路部１０２、駆動電圧調整回路１０３、電圧安定回路１０４及び外部電源の入力端子に接続されるコンデンサＣ０とから構成されている。また、駆動電圧調整回路１０３、電圧安定回路部１０４及びコンデンサＣ０は、配線抵抗の高いＩＴＯ配線などによって液晶駆動回路部１０２に電気的に接続されている。
また、液晶駆動回路部１０２には、液晶表示パネル１０１のセグメント電極に印可する電圧を駆動制御するセグメント電極駆動回路１１０、液晶表示パネル１０１のコモン電極に印可する電圧を駆動制御するコモン電極駆動回路１１１が配設されている。
【０００５】
また、液晶駆動回路部１０２には、このセグメント電極駆動回路１１０及びコモン電極駆動回路１１１に複数の電圧Ｖ０〜Ｖ４を供給する液晶駆動電源回路１１２が配設されている。また、この液晶駆動回路部１０２には、液晶駆動電源回路１１２に外部電源を昇圧して供給する昇圧回路１１３が配設されている。また、液晶駆動回路部１０２には、入出力インターフェース（ＭＰＵインターフェース）１１５を介して外部のコンピュータ（ＭＰＵ）１１６から入力される表示データを記憶する表示データＲＡＭ１１７が配設されている。また、液晶駆動回路部１０２には、この表示データＲＡＭ１１７とコモン電極駆動回路１１１に、不図示のクロック回路から入力されるクロック信号から所定周波数の交流化信号を作成して出力するタイミング発生回路１１８が配設されている。そして、このタイミング発生回路１１８から入力される交流化信号に従って表示データＲＡＭ１１７から表示データが順次セグメント電極駆動回路１１０に出力されて、該セグメント電極駆動回路１１０を介してセグメント電極に所定電圧が印可されると共に、コモン電極駆動回路１１１を介してコモン電極に所定電圧が印可される。
【０００６】
また、図５に示すように、液晶駆動電源回路１１２には、オペアンプ１２１が配設され、このオペアンプ１２１の電源の正端子には昇圧回路１１３が接続されて電圧Ｖｏｕｔが入力され、一方、オペアンプ１２１の電源の負端子にはグランドレベルの電圧Ｖｓｓが入力されている。また、オペアンプ１２１の電源の正端子と負端子との間には、コンデンサＣ０が接続されている。また、オペアンプ１２１の非反転入力端子には、所定電圧Ｖｄが入力されている。また、オペアンプ１２１の出力電圧は、各抵抗Ｒ１〜Ｒ５によって構成される分圧回路によって各電圧Ｖ０〜Ｖ４に分圧され、各電圧Ｖ１〜Ｖ４は各バッファ回路Ｂ１〜Ｂ４を介して出力されている。
また、電圧安定回路１０４には、オペアンプ１２１の出力端子、及び各バッファ回路Ｂ１〜Ｂ４の出力端子とグランドレベルとの間に接続される各コンデンサＣ１が配設されている。
また、駆動電圧調整回路１０３には、オペアンプ１２１の出力端子に一端側が電気的に接続される第１帰還抵抗Ｒｂと、この第１帰還抵抗Ｒｂの他端側に接続されて直列回路を構成する第２帰還抵抗Ｒａとが配設されている。また、この第２帰還抵抗Ｒａの抵抗値は第１帰還抵抗Ｒｂよりも小さく設定されている。また、オペアンプ１２１の反転入力端子は、この第１帰還抵抗Ｒｂと第２帰還抵抗Ｒａとの接続点に接続されている。これにより、各抵抗Ｒａ、Ｒｂによりオペアンプ１２１の反転入力端子に電圧ＶＲが入力された場合には、出力電圧Ｖ０＝ＶＲ×（Ｒａ＋Ｒｂ）／Ｒａとなる。
【０００７】
ところで、図６に示すように、駆動電圧調整回路１０３、電圧安定回路１０４及びコンデンサＣ０は、液晶表示パネル１０１上に配設されて、インジウム（Ｉｎ）と錫（Ｓｎ）等の酸化物（インジウム・チタン・オキサイド：ＩＴＯ）によって形成される透明薄膜電極によって液晶駆動電源回路１１２に電気的に接続される。そのため、このＩＴＯ配線による各抵抗Ｒ１０〜Ｒ１７によってインピーダンス抵抗が増加し、タイミング発生回路１１８によって発生する高周波成分による液晶駆動電源回路１１２の出力電圧レベルが変動し、液晶表示パネル１０１の表示に不具合（クロストーク等）が発生するという問題がある。
【０００８】
そこで、本発明は、上述した問題点を解決するためになされたものであり、ＩＴＯ配線による各配線抵抗によってインピーダンス抵抗が増加しても、タイミング発生回路によって発生する高周波成分による液晶駆動電源回路の出力電圧レベルの変動を抑制し、液晶表示パネルの表示品質の向上を図ることができる液晶表示装置を提供することを目的とする。
【課題を解決するための手段】
【０００９】
前記目的を達成するため請求項１に係る液晶表示装置は、セグメント電極及びコモン電極を有する液晶表示パネルと、前記液晶表示パネルに電気的に接続されると共に、外部電源に電気的に接続されて該液晶表示パネルを駆動する液晶駆動回路部と、前記液晶駆動回路部に配設されるオペアンプに電気的に接続されて前記液晶表示パネルを駆動する駆動電圧を発生するための複数の抵抗が配設される駆動電圧調整回路部と、を備え、前記複数の抵抗は、前記オペアンプの出力端子と反転入力端子との間に電気的に接続される第１帰還抵抗と、前記反転入力端子とグランドレベルとの間に電気的に接続されて前記第１帰還抵抗よりも抵抗値が小さい第２帰還抵抗と、を含む液晶表示装置において、前記駆動電圧調整回路部は、前記第１帰還抵抗に並列に接続される第１コンデンサが配設されていることを特徴とする。
【００１０】
また、請求項２に係る液晶表示装置は、請求項１に記載の液晶表示装置において、前記液晶駆動回路部は、前記オペアンプによって発生する駆動電圧を分圧して複数の液晶駆動用電圧を発生する分圧回路を有し、前記液晶駆動回路部に電気的に接続されて前記分圧回路の各出力端子とグランドレベルとの間に接続される複数の第２コンデンサが配設される電圧安定回路部を備えたことを特徴とする。
【発明の効果】
【００１１】
請求項１に係る液晶表示装置では、液晶駆動回路部に配設されるオペアンプの出力端子と反転入力端子との間には、駆動電圧調整回路部に配設された第１帰還抵抗が電気的に接続されている。また、この反転入力端子とグランドレベルとの間には、駆動電圧調整回路部に配設された第１帰還抵抗よりも抵抗値の小さい第２帰還抵抗が電気的に接続されている。また、この第１帰還抵抗には駆動電圧調整回路部に配設される第１コンデンサが並列に接続されている。
これにより、コモン電極及びセグメント電極に印可する電圧を切り替えるタイミング発生回路によって発生する出力電圧レベルの変動による高周波成分は、第１帰還抵抗を流れず、並列接続された第１コンデンサを流れて、抵抗値の小さい第２帰還抵抗を経てグランドレベルに流れるため、オペアンプの反転入力端子に入力する出力電圧レベルの変動の高周波成分を抑制することができる。従って、液晶駆動回路部と駆動電圧調整回路部等とのＩＴＯ配線による各抵抗によってインピーダンス抵抗が増加しても、タイミング発生回路によって発生する高周波成分によるオペアンプの出力電圧レベルの変動を大幅に抑制し、液晶表示パネルの表示品質の向上を図ることができる。
【００１２】
また、請求項２に係る液晶表示装置では、液晶駆動回路部に配設されて、オペアンプによって発生する駆動電圧を分圧して複数の液晶駆動用電圧を発生する分圧回路の各出力端子とグランドレベルとの間に接続される複数の第２コンデンサが電圧安定回路部に配設されている。
これにより、複数の第２コンデンサを電圧安定回路部に配設し、ＩＴＯ配線によって液晶駆動回路部に電気的に接続することができるため、この各第２コンデンサの大容量化を容易に行うことができ、分圧回路の各出力端子の供給電流をより安定化させて、液晶表示パネルの表示品質の更なる向上を図ることができる。
【発明を実施するための最良の形態】
【００１３】
以下、本発明に係る液晶表示装置について、具体化した一実施例に基づいて図面を参照しつつ詳細に説明する。
【実施例１】
【００１４】
先ず、本実施例に係る液晶表示装置の概略構成について図１及び図２に基づき説明する。
図１に示すように、液晶表示装置１は、上記図４において説明したときと同様に、パッシブマトリックス型の液晶表示パネル（ＬＣＤ）２と、この液晶表示パネル２上に配設される液晶駆動回路部３、駆動電圧調整回路４、電圧安定回路部５及び外部電源の入力端子に接続されるコンデンサＣ０とから構成されている。また、駆動電圧調整回路４、電圧安定回路５及びコンデンサＣ０は、配線抵抗の高いＩＴＯ配線などによって液晶駆動回路部３に電気的に接続されている。
また、液晶駆動回路部３には、液晶表示パネル２のセグメント電極に印可する電圧を駆動制御するセグメント電極駆動回路１０、液晶表示パネル２のコモン電極に印可する電圧を駆動制御するコモン電極駆動回路１１が配設されている。
【００１５】
また、液晶駆動回路部３には、このセグメント電極駆動回路１０及びコモン電極駆動回路１１に複数の電圧Ｖ０〜Ｖ４を供給する液晶駆動電源回路１２が配設されている。また、この液晶駆動回路部３には、液晶駆動電源回路１２に外部電源を昇圧して供給する昇圧回路１３が配設されている。また、液晶駆動回路部３には、入出力インターフェース（ＭＰＵインターフェース）１５を介して外部のコンピュータ（ＭＰＵ）１６から入力される表示データを記憶する表示データＲＡＭ１７が配設されている。また、液晶駆動回路部３には、この表示データＲＡＭ１７とコモン電極駆動回路１１に、不図示のクロック回路から入力されるクロック信号から所定周波数の交流化信号を作成して出力するタイミング発生回路１８が配設されている。そして、このタイミング発生回路１８から入力される交流化信号に従って表示データＲＡＭ１７から表示データが順次セグメント電極駆動回路１０に出力されて、該セグメント電極駆動回路１０を介してセグメント電極に所定電圧が印可されると共に、コモン電極駆動回路１１を介してコモン電極に所定電圧が印可される。
【００１６】
また、図２に示すように、液晶駆動電源回路１２には、オペアンプ２１が配設され、このオペアンプ２１の電源の正端子には昇圧回路１３が接続されて電圧Ｖｏｕｔが入力され、一方、オペアンプ２１の電源の負端子にはグランドレベルの電圧Ｖｓｓが入力されている。また、オペアンプ２１の電源の正端子と負端子との間には、コンデンサＣ０が接続されている。また、オペアンプ２１の非反転入力端子には、所定電圧Ｖｄが入力されている。また、オペアンプ２１の出力電圧は、各抵抗Ｒ１〜Ｒ５によって構成される分圧回路によって各電圧Ｖ０〜Ｖ４に分圧され、各電圧Ｖ１〜Ｖ４は各バッファ回路Ｂ１〜Ｂ４を介して出力されている。
また、電圧安定回路５には、オペアンプ２１の出力端子、及び各バッファ回路Ｂ１〜Ｂ４の出力端子とグランドレベルとの間に接続される各コンデンサＣ１が配設されている。これにより、各コンデンサＣ１を電圧安定回路５に配設し、ＩＴＯ配線によって液晶駆動回路部３に電気的に接続することができるため、この各コンデンサＣ１の大容量化を容易に行うことができ、各バッファ回路Ｂ１〜Ｂ４の出力端子の供給電流をより安定化させて、液晶表示パネル２の表示品質の更なる向上を図ることができる。
【００１７】
また、駆動電圧調整回路４には、オペアンプ２１の出力端子に一端側が電気的に接続される第１帰還抵抗Ｒｂと、この第１帰還抵抗Ｒｂの他端側に接続されて直列回路を構成する第２帰還抵抗Ｒａと、この第１帰還抵抗Ｒｂに並列に接続されるコンデンサＣ２とが配設されている。また、この第２帰還抵抗Ｒａの抵抗値は第１帰還抵抗Ｒｂよりも小さく設定されている。また、オペアンプ２１の反転入力端子は、この第１帰還抵抗Ｒｂと第２帰還抵抗Ｒａとの接続点に接続されている。
これにより、各抵抗Ｒａ、Ｒｂによりオペアンプ２１の反転入力端子に電圧ＶＲが入力された場合には、出力電圧Ｖ０＝ＶＲ×（Ｒａ＋Ｒｂ）／Ｒａとなる。また、タイミング発生回路１８によるコモン電極及びセグメント電極に印可する電圧の切り替えによって発生する出力電圧レベルの変動による高周波成分は、第１帰還抵抗Ｒｂを流れず、並列に接続されたコンデンサＣ２を流れて、該第１帰還抵抗の抵抗値よりも小さい抵抗値の第２帰還抵抗Ｒａを経てグランドレベルに流れるため、オペアンプ２１の反転入力端子に入力する出力電圧レベルの変動の高周波成分を抑制することができる。従って、液晶駆動回路部３と駆動電圧調整回路４及び電圧安定回路５等とのＩＴＯ配線による各抵抗によってインピーダンス抵抗が増加しても、タイミング発生回路１８によって発生する高周波成分によるオペアンプ２１の出力電圧レベルの変動を大幅に抑制し、液晶表示パネル２の表示品質の向上を図ることができる。
【００１８】
次に、本実施例の駆動電圧調整回路４と上記従来例の駆動電圧調整回路１０３とにおける各オペアンプ２１、１２１の出力電圧レベルの変動について、図３に基づいて説明する。図３（Ａ）は本実施例の駆動電圧調整回路４によるオペアンプ２１の出力電圧レベルの変動の一例を示す図で、図３（Ｂ）は上記従来例の駆動電圧調整回路１０３におけるオペアンプ１２１の出力電圧レベルの変動の一例を示す図である。
例えば、図３（Ａ）に示すように、液晶駆動回路部３としてＳａｍｓｕｎｇ製Ｓ６Ｂ０７２４を配設し、駆動電圧調整回路４において、Ｒａ＝４７０ｋΩ、Ｒｂ＝２ＭΩ、Ｃ２＝１０００ｐＦ（１００ｐＦ〜１μＦが望ましい。）とした場合には、オペアンプ２１の出力電圧レベルの変動は、約１７ｍＶ（ピーク値幅）となり、カットオフ周波数は、約８０Ｈｚとなる。
これに対し、図３（Ｂ）に示すように、液晶駆動回路部１０２としてＳａｍｓｕｎｇ製Ｓ６Ｂ０７２４を配設し、駆動電圧調整回路１０３において、Ｒａ＝４７０ｋΩ、Ｒｂ＝２ＭΩとした場合には、オペアンプ２１の出力電圧レベルの変動は、約３０ｍＶ（ピーク値幅）となる。
従って、第１帰還抵抗Ｒｂ＝２ＭΩにコンデンサＣ２＝１０００ｐＦが並列に接続された場合には、液晶駆動回路部３と駆動電圧調整回路４及び電圧安定回路５等とのＩＴＯ配線による各抵抗によってインピーダンス抵抗が増加しても、タイミング発生回路１８によって発生する高周波成分によるオペアンプ２１の出力電圧レベルの変動を約半分に抑制することができ、液晶表示パネル２の表示品質の向上を図ることができる。
【００１９】
ここで、各駆動電圧調整回路４、１０３は、駆動電圧調整回路部として機能する。また、コンデンサＣ２は、第１コンデンサとして機能する。また、各抵抗Ｒ１〜Ｒ５及び各バッファ回路Ｂ１〜Ｂ４は、分圧回路を構成する。また、各コンデンサＣ１は、第２コンデンサとして機能する。また、各電圧安定回路５、１０４は、電圧安定回路部として機能する。
【００２０】
尚、本発明は前記実施例に限定されることはなく、本発明の要旨を逸脱しない範囲内で種々の改良、変形が可能であることは勿論である。
【図面の簡単な説明】
【００２１】
【図１】本実施例に係る液晶表示装置の概略構成を示すブロック回路図である。
【図２】本実施例に係る液晶表示装置の液晶駆動回路部の複数の液晶駆動用電圧を発生する内部電源回路部の回路構成を示す図である。
【図３】本実施例に係る液晶表示装置の内部電源回路の電圧変動の一例を示す図で、（Ａ）は第１帰還抵抗に１０００ｐＦのコンデンサを並列接続した場合を示す図、（Ｂ）は第１帰還抵抗にコンデンサを並列接続しない場合を示す図である。
【図４】従来の液晶表示装置の概略構成を示すブロック回路図である。
【図５】従来の液晶表示装置の液晶駆動回路部の複数の液晶駆動用電圧を発生する内部電源回路部の回路構成を示す図である。
【図６】図５の液晶表示パネル上の配線抵抗を模式的に示す図である。
【符号の説明】
【００２２】
１、１００      液晶表示装置
２、１０１      液晶表示パネル
３、１０２      液晶駆動回路部
４、１０３      駆動電圧調整回路
５、１０４      電圧安定回路
１０、１１０    セグメント電極駆動回路
１１、１１１    コモン電極駆動回路
１２、１１２    液晶駆動電源回路
１３、１１３    昇圧回路
１５、１１５    入出力インタフェース
１７、１１７    表示データＲＡＭ
１８、１１８    タイミング発生回路
Ｒａ            第２帰還抵抗
Ｒｂ            第１帰還抵抗
Ｃ０、Ｃ１、Ｃ２    コンデンサ
Ｒ１〜Ｒ５、Ｒ１０〜Ｒ１７    抵抗
【図１】
2006189593.tif 000003
【図２】
2006189593.tif 000004
【図３】
2006189593.tif 000005
【図４】
2006189593.tif 000006
【図５】
2006189593.tif 000007
【図６】
2006189593.tif 000008